(57)【要約】【課題】Ｓ字状トラップの導出端の内径より小さい内径を有する排出管を使用する場合であっても、排水をスムーズに行って異音の発生を極力抑えたが排水管路装置を提供すること。【解決手段】Ｓ字状トラップ１下方の第３垂直管２６先端の拡径部３０の内径３０ａが、この内径３０ａより小さい内径を有する排水用ホース１４と接続されている排水管路装置であって、拡径部３０上方の第３垂直管２６内を流れてきた排水Ｗの大部分が直接排水用ホース１４に導入されるようにエッジ部２６を設ける。これにより、拡径部３０内に排水Ｗが滞留することがなく、この拡径部３０より上流部側にはピストン状下降流が形成し難くなり、異音の発生を抑制することができる。【選択図】  図２
2004300879.tif 000002
【特許請求の範囲】
【請求項１】
排水が排水投入側管路より投入されるＳ字状トラップの導出端が、該導出端の内径より小さい内径を有する排出管路と接続されている排水管路装置であって、前記導出端近傍にＳ字状トラップ内を流れてきた排水の大部分が直接排出管路に導入されるように構成されていることを特徴とする排水管路装置。
【請求項２】
前記導出端近傍のＳ字状トラップ内壁面に排水を排出管路に指向するエッジ部が形成されている請求項１に記載の排水管路装置。
【請求項３】
前記Ｓ字状トラップの導出端近傍に排水を排出管路に指向する漏斗体が設けられている請求項１に記載の排水管路装置。
【発明の詳細な説明】
【０００１】
【発明の属する技術分野】
本発明は、排水が排水投入側管路より投入されるＳ字状トラップの導出端が、該導出端の内径よりの小さい内径を有する排出管路と接続されている排水管路装置に関する。
【０００２】
【従来の技術】
従来、洗面台等の下部に設けたＳ字状トラップを設けた排水管路装置は、特許文献１の「排水トラップ」に記載の如く周知である。図５は前記特許文献１に記載のＳ字状トラップ部を有する排水管路装置の部分側断面図を示したもので、排水投入側管路より排水が第１下降部０１、上昇部０２及び第２下降部０３から成るＳ字状トラップ０４を経て、Ｓ字状トラップ０４の導出部０５と接続された図示しない排出管路へと流れて排出される。そしてこのＳ字状トラップ０４の封水部０６のところで下水側からの臭気が逆流しないようにしている。
【０００３】
このような排水管路装置において、例えば、洗面台に溜めてある水を、栓をあけて一気に排水した場合に、溜め水がＳ字状トラップ０４に排出された直後にズルーないしゴボゴボといった異音の発生を防止するために、第２下降部０３の上部に凸部０７を設け、第２下降部０３内にピストン状の下降水流が発生しないようにしたものが知られていた（特許文献１参照）。
【０００４】
【特許文献１】
特開平８−３３３７８４号公報（図１）
【０００５】
【発明が解決しようとする課題】
上記特許文献１に記載の排水トラップは、そのＳ字状トラップの導出端が、該導出端の内径とほぼ等しいか大きい内径を有する排出管を使用する場合には問題がないが、近年、Ｓ字状トラップの導出端と接続される排出管路が低コスト化の影響を受けて細径化傾向にあり、Ｓ字状トラップの導出端の内径より小さい内径を有する排出管を使用する場合は、排水がスムーズに行われず異音の発生が避けられなかった。
【０００６】
本発明は、このような状況に鑑みてなされたものであり、Ｓ字状トラップの導出端の内径より小さい内径を有する排出管を使用する場合であっても、排水をスムーズに行って異音の発生を極力抑えた排水管路装置を提供することを目的とするものである。
【０００７】
【課題を解決するための手段】
上記課題を解決するために、本発明の排水管路装置は、排水が排水投入側管路より投入されるＳ字状トラップの導出端が、該導出端の内径より小さい内径を有する排出管路と接続されている排水管路装置であって、前記導出端近傍にＳ字状トラップ内を流れてきた排水の大部分が直接排出管路に導入されるように構成されていることを特徴としている。
この特徴によれば、排水の大部分が直接排出管路に導入することで、Ｓ字状トラップの導出端のところで排水が留まって、導出端より上流部でピストン状下降流を形成しやすくなることが防げるので、異音の発生が抑制できる。
【０００８】
本発明の排水管路装置において、前記導出端近傍のＳ字状トラップ内壁面に排水を排出管路に指向するエッジ部が形成されていることが好ましい。
このようにすれば、エッジ部を介して排水がスムーズに排出管路に流れるので、Ｓ字状トラップの導出端のところに排水が留まることが防げる。
【０００９】
本発明の排水管路装置において、前記Ｓ字状トラップの導出端近傍に排水を排出管路に指向する漏斗体が設けられていることが好ましい。
このようにすれば、漏斗体を設けることで排水がスムーズに排出管路に流れるので、Ｓ字状トラップの導出端のところに排水が留まることが防げる。
【００１０】
【発明の実施の形態】
本発明の実施形態について図面を参照して説明する。
【００１１】
図１は本発明の一実施形態に係る排水管路装置をシンク排水口に適用した流し台の断面側面図、図２は排水管路装置の一部を構成するＳ字状トラップの断面図、図３はＳ字状トラップへの導入部に投入される排水の状態を示す作用説明図である。
【００１２】
図１に示す２は例えばキッチン流し台であって、このキッチン流し台２は、天板５の一部にシンク４が設けられていて、シンク４後方の上面には水道の蛇口６が臨むように配置されシンク４底面の一部に設けられた排水口８には、排水投入側管路となる大径管状の排水口本体１０が設けられ、排水口本体１０の底面排水口には継手１２ａを介してＳ字状トラップ１の導入部を構成する屈曲導入管１８と液密に接続されると共に、Ｓ字状トラップ１の拡径部３０の下端開口には継手１２ｂを介して排水出口側管路となる蛇腹状の排水用ホース１４が接続されている。
【００１３】
Ｓ字状トラップ１は、図２に示すように、導入部となる屈曲導入管１８と、これに連なる第１垂直管２４と、この第１垂直管２４より１８０度右側に湾曲して上方を向く下部湾曲部２０と、この下部湾曲部２０から上方に立ち上げられ、第１垂直管２４と平行に近接配置されている第２垂直管２５と、この第２垂直管２５の上方にて１８０度右側に湾曲して下方に向く上部湾曲部２２と、この上部湾曲部２２の下方に第２垂直管２５と平行に近接配置されて延びる第３垂直管２６とにより構成され、第１垂直管２４と下部湾曲部２０と第２垂直管２５とで封水部Ｈが形成されている。
【００１４】
そして、第３垂直管２６の下方には拡径部３０が形成され、この拡径部３０には蛇腹状の排水用ホース１４が接続している。そして、拡径部３０の内径３０ａに比し排水用ホース１４内径が小径に形成されている排水用ホース１４を使用する場合、拡径部３０の外径に螺合される継手となる大径ナット１２ｂによって係止されるスリーブ２８を介して排水用ホース１４は接続される。
【００１５】
更に、拡径部３０上部の第３垂直管２６の先端内壁面には、排水Ｗを下方の排水用ホース１４側に向けて流すことができるように環状エッジ部２６ａが形成されている。
【００１６】
段付きスリーブ２８は、図３に示すように、大径部２８ａと小径部２８ｂからなる段突き構造であり、大径部２８ａはその先端が拡径部３０下端に嵌挿され、小径部２８ｂには排水用ホース１４が外嵌している。
【００１７】
そこで、拡径部３０の下端に排水用ホース１４を接続する際は、先ず、拡径部３０下端の開口内部に段付きスリーブ２８の大径部２８ａを挿嵌し、小径部２８ｂ側から挿通した大径ナット１２ｂを拡径部３０外周に形成されたねじ部３０ｂに螺合した後、これを締付けて段付きスリーブ２８を下方から上方に向けて押圧し、拡径部３０の下端と大径部２８ａに形成した両者のテーパ部を互いに密着させて密封を保つ。この状態で大径ナット１２ｂの下端から突出している段付きスリーブ２８の小径部２８ｂに排水用ホース１４が外嵌固定される。
【００１８】
次に、上記のように構成された本発明の排水管路装置の作用に付き図３を参照して以下に説明する。
【００１９】
先ず、キッチン流し台２のシンク４底面の排水口８を封鎖した図示しない栓体を開放することで、貯留されていたシンク４内の排水Ｗが排水口８から一気に排出され、排水口本体１０からＳ字状トラップ１内を介して拡径部３０側に流下する。
【００２０】
拡径部３０側に向かって流下した排水Ｗは、第３垂直管２６の先端内壁面に形成した環状エッジ部２６ａによって点線で示されるように段付きスリーブ２８の小径部２８ｂ内径部に向けて指向する。
【００２１】
従って、排水Ｗの大部分が直接排水用ホース１４に導入することで、Ｓ字状トラップ１の拡径部３０に排水Ｗが留ることがなく、この拡径部３０より上流部においてピストン状下降流が形成し難くなるので、異音の発生を抑制することができる。
【００２２】
次に、排水管路装置に係る他の実施形態に付き図４を参照して説明する。図４は他の実施形態に係る排水管路装置であって、Ｓ字状トラップへの導出部より排水される状態を示す作用説明図である。尚、上記実施形態で説明した構成部材と同一構成部材に付いては同一符号を付し重複する説明を省略する。
【００２３】
本実施形態では、上記実施形態における環状エッジ部２６ａに代えて、その部位に漏斗体３４を設けたものである。
【００２４】
すなわち、図４において符号３４は漏斗体であって、この漏斗体３４は、上端外周に形成された大径外周には雄ねじ３４ａが螺設されると共に、大径円柱部の下方には先細のテーパ状の絞り管３４ｂとして形成されている。そして、拡径部３０の上部内壁面には、漏斗体３４の雄ねじ３４ａが螺合できる雌ねじ３０ｃが螺設されている。
【００２５】
この雌ねじ３０ｃに漏斗体３４上部の雄ねじ３４ａを螺着することで、第３垂直管２６の先端内壁面から漏斗体３４を介して排水が排水用ホース１４に指向して円滑に流下することができ、拡径部３０に排水が溜まることがない。
【００２６】
従って、本実施形態における作用は前記実施形態と同じ作用となり、Ｓ字状トラップ１を通過した排水Ｗが排水用ホース１４に指向して円滑に流下するので、Ｓ字状トラップの導出端となる拡径部３０の内部空間に排水Ｗが留まることを防ぐことができる。
【００２７】
尚、漏斗体３４を拡径部３０内に設けているが、これに限らず、例えば、段付きスリーブ２８を上方に漏斗状に延在させてもよい。
【００２８】
【発明の効果】
本発明は以下の効果を奏する。
【００２９】
（ａ）請求項１項の発明によれば、排水の大部分が直接排出管路に導入することで、Ｓ字状トラップの導出端のところで排水が留まって、導出端より上流部でピストン状下降流を形成しやすくなることが防げるので、異音の発生が抑制できる。
【００３０】
（ｂ）請求項２項の発明によれば、エッジ部を介して排水がスムーズに排出管路に流れるので、Ｓ字状トラップの導出端のところに排水が留まることが防げる。
【００３１】
（ｃ）請求項３項の発明によれば、漏斗体を設けることで排水がスムーズに排出管路に流れるので、Ｓ字状トラップの導出端のところに排水が留まることが防げる。
【図面の簡単な説明】
【図１】本発明の一実施形態に係る排水管路装置をシンク排水口に適用した流し台の断面側面図である。
【図２】排水管路装置の一部を構成するＳ字状トラップの断面図である。
【図３】Ｓ字状トラップへの導入部に投入される排水の状態を示す作用説明図である。
【図４】他の実施形態に係る排水管路装置であって、Ｓ字状トラップの導出部より排水される状態を示す作用説明図である。
【図５】Ｓ字状トラップ部を有する従来の排水管路装置の部分側断面図である。
【符号の説明】
１                      Ｓ字状トラップ
２                      キッチン流し台
４                      シンク
５                      天板
６                      蛇口
８                      排水口
１０                    排水口本体
１２ａ                  継手
１２ｂ                  継手（大径ナット）
１４                    排水用ホース
１８                    屈曲導入管
２０                    下部湾曲部
２２                    上部湾曲部
２４                    第１垂直管
２５                    第２垂直管
２６                    第３垂直管
２６ａ                  環状エッジ部
２８                    段付きスリーブ
２８ａ                  大径部
２８ｂ                  小径部
３０                    拡径部
３０ａ                  内径
３０ｂ                  ねじ部
３０ｃ                  雌ねじ
３４                    漏斗体
３４ａ                  雄ねじ
３４ｂ                  絞り管
Ｈ                      封水部
Ｗ                      排水
【図１】
2004300879.tif 000003
【図２】
2004300879.tif 000004
【図３】
2004300879.tif 000005
【図４】
2004300879.tif 000006
【図５】
2004300879.tif 000007